(57)【要約】【課題】設計を容易にでき、しかも、免震時、下部構造部と上部構造部とが、カバーを屋外側に押し動す方向とは直交する水平方向に相対変位をしようとしても、カバーが外れず、免震動作に対する抵抗ともならない免震建物を提供する。【解決手段】カバー７が上下のカバー８，９に分割され、下カバー９はその下部側が下部構造部１の側に貼り付けられて固定され、上カバー８はその上部側が上部構造部２の側に貼り付けられて固定され、免震時、下カバー９は、その上部側が上部構造部２の側によって屋外側への水平力を受けることにより下部側の貼り付け部が剥がされて外れ、上カバー８は、その下部側が下部構造部１の側によって屋外側への水平力を受けることにより上部側の貼り付け部が剥がされて外れるようになされている。【選択図】      図１
2010236212.tif 000002
【特許請求の範囲】
【請求項１】
下部構造部に上部構造部が免震支承されると共に、下部構造部と上部構造部との間が屋外に露出するのを防ぐカバーが備えられた免震建物において、
前記カバーは上下のカバーに分割され、下カバーはその下部側が下部構造部の側に貼り付けられて固定されると共に、上カバーはその上部側が上部構造部の側に貼り付けられて固定され、
免震時、下カバーは、その上部側が上部構造部の側によって屋外側への水平力を受けることにより下部側の貼り付け部が剥がされて外れ、上カバーは、その下部側が下部構造部の側によって屋外側への水平力を受けることにより上部側の貼り付け部が剥がされて外れるようになされていることを特徴とする免震建物。
【請求項２】
前記上下のカバーはそれぞれ、きのこ状ステムをかみ合わせて接合する面ファスナーで貼り付け固定されている請求項１に記載の免震建物。
【請求項３】
免震時、下カバーの上部側に屋外側への水平力を付与するものが、上部構造部の側に取り付けられた、風揺れ固定関係部材と免震支承関係部材のいずれか少なくとも一方の部材からなり、
免震時、上カバーの下部側に屋外側への水平力を付与するものが、下部構造部の側に取り付けられた、風揺れ固定関係部材と免震支承関係部材のいずれか少なくとも一方の部材からなる請求項１又は２に記載の免震建物。
【発明の詳細な説明】
【技術分野】
【０００１】
本発明は、免震建物に関する。
【背景技術】
【０００２】
基礎などの下部構造部に上部構造部を免震支承した免震建物では、下部構造部と上部構造部との間が屋外に露出するのを防ぐカバーが設けられるが、そのようなカバーとして、上下に分割されたカバーを用い、下部構造部の側に固定された下カバーと、上部構造部の側に固定された上カバーとで基礎と上部構造部との間を隠し、免震時には、上下のカバーが上記の固定状態を維持しつつ互いに干渉することなく水平方向に相対移動することができるようになされたものが提供されている。
【０００３】
また、上下方向に一体のカバーを用い、該カバーの上部側を上部構造部の側に貼り付けて固定すると共に、下部側を下部構造部の側に貼り付けて固定し、免震時には、該カバーが下部構造部の側や上部構造部の側によって屋外側への水平力を受けて貼り付け部が剥がされ、カバーが外れるようになされたものも考えられている。
【先行技術文献】
【特許文献】
【０００４】
【特許文献１】特開平１１−３３６３７０号公報
【発明の概要】
【発明が解決しようとする課題】
【０００５】
しかしながら、前者の構造では、免震時に、下カバーが上部構造部の側によって屋外側への水平力を受けないように、上部構造部の側に構成上の配慮をしておかなければならないと共に、上カバーについても下部構造部の側によって屋外側への水平力を受けないように、下部構造部の側に構成上の配慮をしておかなければならず、設計が厄介であるという問題があった。
【０００６】
特に、免震支承装置や風揺れ固定装置を下部構造部と上部構造部との間に配置するに際し、各装置には、下部構造部の側に取り付けられる部材と、上部構造部の側に取り付けられる部材とが存在することから、免震時、それらの装置関係部材が上下のカバーと干渉しないように、免震支承装置や風揺れ固定装置は、カバーから離れた位置、即ち、上部構造部の外周位置から内方に離れた位置に備えさせなければならず、そのため、そのような位置に免震支承装置を配置すると、免震支承位置と上部構造部の外周側の柱の位置との偏心が大きくなって、上部構造部の側に大きな曲げモーメントを発生させてしまい、また、そのような位置に風揺れ固定装置を配置すると、風揺れ固定装置と上部構造部の外周側の耐力壁との偏心が大きくなって上部構造部の側に曲げモーメントを発生させてしまうという問題を生じる。
【０００７】
その点、後者の構造は、カバーが上下方向に一体のものからなり、免震時には、カバーが、下部構造部の側や上部構造部の側によって屋外側への水平力を受けて外れるようになっているので、下部構造部の側や上部構造部の側に対し、カバーに屋外側への水平力が作用しないような構成上の配慮をする必要がなく、設計を容易にすることができるし、免震支承装置や風揺れ固定装置を上部構造部の外周側に配置して上部構造部の側に発生する曲げモーメントを小さくしたり、なくしたりすることも可能になる。
【０００８】
しかし、後者の構造では、免震時、下部構造部と上部構造部とが、カバーを屋外側に押し動す方向とは直交する水平方向に相対変位をしようとすると、上部構造部や下部構造部に対するカバーの貼り付け固定部にせん断力が発生し、カバーが外れたり、カバーが外れない場合には免震動作に対する大きな抵抗となったりするという問題を生じる。
【０００９】
本発明は、上記のような問題点に鑑み、下部構造部の側や上部構造部の側に、カバーに屋外側への水平力が作用しないような構成上の配慮をする必要がなくて設計を容易にすることができ、しかも、免震時、下部構造部と上部構造部とが、カバーを屋外側に押し動す方向とは直交する水平方向に相対変位をしようとしても、カバーが外れず、また、カバーがそのような免震動作に対する抵抗とならないようにすることができる構造の免震建物を提供することを課題とする。
【課題を解決するための手段】
【００１０】
上記の課題は、下部構造部に上部構造部が免震支承されると共に、下部構造部と上部構造部との間が屋外に露出するのを防ぐカバーが備えられた免震建物において、
前記カバーは上下のカバーに分割され、下カバーはその下部側が下部構造部の側に貼り付けられて固定されると共に、上カバーはその上部側が上部構造部の側に貼り付けられて固定され、
免震時、下カバーは、その上部側が上部構造部の側によって屋外側への水平力を受けることにより下部側の貼り付け部が剥がされて外れ、上カバーは、その下部側が下部構造部の側によって屋外側への水平力を受けることにより上部側の貼り付け部が剥がされて外れるようになされていることを特徴とする免震建物によって解決される（第１発明）。
【００１１】
この免震建物では、免震時、下カバーは、その上部側が上部構造部の側によって屋外側への水平力を受けることにより下部側の貼り付け部が剥がされて外れ、上カバーは、その下部側が下部構造部の側によって屋外側への水平力を受けることにより上部側の貼り付け部が剥がされて外れるようになされているので、下部構造部の側や上部構造部の側に、カバーに屋外側への水平力が作用しないような構成上の配慮をする必要がなくて設計を容易にすることができる。
【００１２】
しかも、カバーは上下のカバーに分割されているので、免震時、下部構造部と上部構造部とが、カバーを屋外側に押し動す方向とは直交する水平方向に相対変位をしようとしても、上下のカバーは外れることがなく、また、上下のカバーがそのような免震動作に対する抵抗となることもない。
【００１３】
加えて、上下の各カバーは、上下の構造部から屋外側への水平力を受けると、貼り付け固定部分を中心として回動するように屋外側へ押し動かされることになるから、貼り付け固定部分には、端の方から剥そうとする力が作用して、貼り付け固定部分は小さな力で剥され、貼り付け固定力が免震動作に対する抵抗となることもない。
【００１４】
特に、前記上下のカバーがそれぞれ、きのこ状ステムをかみ合わせて接合する面ファスナーで貼り付け固定されている場合は（第２発明）、上下のカバーをしっかりとした貼り付け固定状態にすることができる一方で、上下のカバーは、上下の構造部から屋外側への水平力を受けると、貼り付け固定部分を中心とした回動動作によって容易に剥がされて貼り付け固定力が免震動作に対する抵抗となるのを効果的に防ぐことができる。
【００１５】
また、上下のカバーは、上下の構造部から屋外側への水平力を受けて外れるように構成されているから、免震中に一旦外れてしまうと、上下のカバーに起因した当たり音等の発生をなくすことができる。
【００１６】
第１，第２発明において、免震時、下カバーの上部側に屋外側への水平力を付与するものが、上部構造部の側に取り付けられた、風揺れ固定関係部材と免震支承関係部材のいずれか少なくとも一方の部材からなり、
免震時、上カバーの下部側に屋外側への水平力を付与するものが、下部構造部の側に取り付けられた、風揺れ固定関係部材と免震支承関係部材のいずれか少なくとも一方の部材からなるとよい（第３発明）。
【００１７】
この場合は、免震支承装置や風揺れ固定装置を、上部構造部の外周位置ないしはそれに近い位置に位置させることができて、上部構造部の側に発生する曲げモーメントを小さくしたり、なくしたりすることが可能になる。
【発明の効果】
【００１８】
本発明は、以上のとおりのものであるから、下部構造部の側や上部構造部の側に、カバーに屋外側への水平力が作用しないような構成上の配慮をする必要がなくて設計を容易にすることができ、しかも、免震時、下部構造部と上部構造部とが、カバーを屋外側に押し動す方向とは直交する水平方向に相対変位をしようとしても、カバーは外れず、また、カバーがそのような免震動作に対する抵抗となることもない。
【図面の簡単な説明】
【００１９】
【図１】実施形態の免震建物を示すもので、図（イ）は断面側面図、図（ロ）は要部拡大断面側面図である。
【図２】図（イ）及び図（ロ）はそれぞれ免震動作中の同側面図である。
【図３】免震支承装置と風揺れ固定装置の配置関係を示す平面図である。
【発明を実施するための形態】
【００２０】
次に、本発明の実施形態を図面に基づいて説明する。
【００２１】
図１〜図３に示す実施形態の免震建物において、１は下部構造部としてのコンクリート基礎、２は上部構造部を構成する鋼製架台であり、上部構造部は、鋼製架台２の上に床３や外壁４などが設けられたものからなっていて、鋼製架台２は、基礎１との間に設けられた、転がり式などからなる免震支承装置５によって免震支承されており、また、鋼製架台２と基礎１とは、それらの間に設けられた風揺れ固定装置６で連結されている。
【００２２】
そして、図１に示すように、この免震建物に、建物外周側に備えられた鋼製架台２と基礎１との間が屋外に露出するのを防ぐためのカバー７が備えられている。
【００２３】
該カバー７は、上下のカバー８，９に分割されており、下カバー９は、その下部側が基礎１の側に面ファスナー１０で貼り付けられて固定されると共に、上カバー８は、その上部側が鋼製架台２の側に面ファスナー１０で貼り付けられて固定され、免震時、下カバー９は、図２（イ）に示すように、その上部側が鋼製架台２の側によって屋外側への水平力を受けることにより下部側の貼り付け部が剥がされて外れ、上カバー８は、図２（ロ）に示すように、その下部側が基礎１の側によって屋外側への水平力を受けることにより上部側の貼り付け部が剥がされて外れるようになされている。上記の面ファスナー１０，１０が、きのこ状ステムをかみ合わせて接合するタイプのものからなっている。
【００２４】
そして、上記の免震支承装置５や風揺れ固定装置６は、図３に示すように、建物の外周側に近接するようにして備えられており、風揺れ固定装置６は、オイルシリンダー６ａを固定要素として備えたものからなっていて、図１に示すように、オイルシリンダー６ａが、基礎１の側に取り付けられた風揺れ固定関係部材としてのブラケット６ｂと、鋼製架台２の側に取り付けられた同じく風揺れ固定関係部材としてのブラケット６ｃとを連結した構造のものからなっていて、下カバー９は、図２（イ）に示すように、その上部側が鋼製架台２の側に取り付けられたブラケット６ｃによって屋外側への水平力を受け、上カバー８は、図２（ロ）に示すように、その下部側が基礎１の側に取り付けられたブラケット６ｂによって屋外側への水平力を受けるようになされている。
【００２５】
上記の免震建物では、図２（イ）（ロ）に示すように、免震時、下カバー９は、その上部側が鋼製架台２の側によって屋外側への水平力を受けることにより下部側の面ファスナー１０が剥がされて外れ、上カバー８は、その下部側が基礎１の側によって屋外側への水平力を受けることにより上部側の面ファスナー１０が剥がされて外れるようになされているので、基礎１の側や鋼製架台２の側に、カバー８，９に屋外側への水平力が作用しないような構成上の配慮をする必要がなくて設計を容易にすることができる。
【００２６】
特に、本実施形態では、風揺れ固定装置６が、建物の外周側に近接するようにして備えられ、免震時、下カバー９は、その上部側が、鋼製架台２の側に取り付けられた風揺れ固定装置６のブラケット６ｃによって屋外側への水平力を受け、上カバー８は、その下部側が、基礎１の側に取り付けられた風揺れ固定装置６のブラケット６ｂによって屋外側への水平力を受けるようになされているので、風揺れ固定装置６が原因で鋼製架台２の側に発生する曲げモーメントを小さくしたり、なくしたりすることが可能になる。
【００２７】
しかも、カバー７は上下のカバー８，９に分割されているので、免震時、基礎１と鋼製架台２とが、カバー８，９を屋外側に押し動す方向とは直交する水平方向に相対変位をしようとしても、上下のカバー８，９は外れることがなく、また、上下のカバー８，９がそのような免震動作に対する抵抗となることもない。
【００２８】
加えて、上下の各カバー８，９は、基礎１の側や鋼製架台２の側から屋外側への水平力を受けると、面ファスナー１０，１０による貼り付け固定部分を中心として回動するように屋外側へ押し動かされることになるから、貼り付け固定部分には、端の方から剥そうとする力が作用して、面ファスナー１０，１０は小さな力で剥され、貼り付け固定力が免震動作に対する抵抗となることもない。
【００２９】
特に、本実施形態では、面ファスナー１０，１０として、きのこ状ステムをかみ合わせて接合する面ファスナーが用いられていることにより、上下のカバー８，９をしっかりとした貼り付け固定状態にすることができる一方で、上下のカバー８，９は、基礎１の側や鋼製架台２の側から屋外側への水平力を受けると、貼り付け固定部分を中心とした回動動作によって容易に剥がされて貼り付け固定力が免震動作に対する抵抗となるのを有効的に防ぐことができる。
【００３０】
以上に、本発明の実施形態を示したが、本発明はこれに限られるものではなく、発明思想を逸脱しない範囲で各種の変更が可能である。例えば、上記の実施形態では、免震時、上下のカバー８，９が風揺れ固定装置６のブラケット６ｂ，６ｃで屋外側に押し動される構成しているが、風揺れ固定装置におけるその他の風揺れ固定装置関係部材で屋外側に押し動かされる構成としてもよいし、免震支承装置の関係部材で屋外側に押し動かされる構成としてもよいし、その他の部分で屋外側に押し動かされる構成としてもよい。
【符号の説明】
【００３１】
１…基礎（下部構造部）
２…鋼製架台（上部構造部）
５…免震支承装置
６…風揺れ固定装置
６ｂ，６ｃ…ブラケット（風揺れ固定装置関係部材）
７…カバー
８…下カバー
９…上カバー
１０…面ファスナー
【図１】
2010236212.tif 000003
【図２】
2010236212.tif 000004
【図３】
2010236212.tif 000005